(57)【要約】【課題】表面に防水層が設けられたコンクリート躯体に手摺支柱を取り付けるにあたり、防水層とアンカー棒との間の水密性を高め得る手摺支柱の取付構造を提供する。【解決手段】表面に防水層６が設けられたコンクリート躯体５に手摺支柱１を取り付ける手摺支柱１の取付構造であって、手摺支柱１内に固定してその下端から突出させた室内側と室外側の一対のアンカー棒８，８を、防水層６からコンクリート躯体５に穿設したアンカー用穴９，９に埋め込んで接着用樹脂により根固めすると共に、両アンカー棒８，８にはシールパッキン１１とこのパッキン１１を上から押えるワッシャー１２と締付用のナット１３とを取り付け、ナット１３を締め付けることによりワッシャー１２及びシールパッキン１１を介して防水層６のアンカー用穴９とアンカー棒８との間を水密シールする。【選択図】図２
2010048040.tif 000002
【特許請求の範囲】
【請求項１】
表面に防水層が設けられたコンクリート躯体に手摺支柱を取り付ける手摺支柱の取付構造であって、
手摺支柱内に固定してその下端から突出した室内側及び室外側の一対のアンカー棒を、防水層からコンクリート躯体に穿設した室内側及び室外側の一対のアンカー用穴に埋め込んで接着用樹脂により根固めすると共に、両アンカー棒にはシールパッキンとこのパッキンを上から押えるワッシャーと締付用のナットとを取り付け、ナットを締め付けることによりワッシャー及びシールパッキンを介して防水層のアンカー用穴部とアンカー棒との間を水密シールするようにした手摺支柱の取付構造。
【請求項２】
一対のアンカー棒は、手摺支柱内に長さ方向スライド可能に挿入されるアンカー取付部材に取り付け固定されて、その下端から突出され、このアンカー取付部材は、手摺支柱の下端部内の所要位置にビスにより固定されるようになっている請求項１に記載の手摺支柱の取付構造。
【請求項３】
各アンカー棒はネジ棒からなり、アンカー取付部材はアルミ押出型材からなるもので、各アンカー棒はアンカー取付部材内に設けられたネジ棒ねじ込み筒にねじ込まれるようになっている請求項１又は２に記載の手摺支柱の取付構造。
【請求項４】
シールパッキンは一対のアンカー棒挿通孔を設けたメガネ形パッキンからなる請求項１〜３の何れかに記載の手摺支柱の取付構造。
【請求項５】
ワッシャーは一対のアンカー棒挿通孔を設けたメガネ形ワッシャーからなる請求項１〜３の何れかに記載の手摺支柱の取付構造。
【請求項６】
手摺支柱の下端部に、この手摺支柱の下部とコンクリート躯体表面の防水層との間を覆う足元カバーを設けてなる請求項１〜５の何れかに記載の手摺支柱の取付構造。
【発明の詳細な説明】
【技術分野】
【０００１】
本発明は、建物の屋上等のコンクリートスラブのように表面に防水層が設けられたコンクリート躯体に設置される手摺りに関するもので、特にその手摺りの手摺支柱の取付構造に関する。
【背景技術】
【０００２】
従来における手摺支柱の取付構造として、例えば特許文献１に記載されたものがある。この取付構造は、アルミ押出形材からなる手摺支柱のボルトネジ棒ねじ込み筒に一対のアンカーボルトの夫々一端部側をねじ込むことにより固定して、その他端側を手摺支柱の下端から突出させ、しかして両アンカーボルトの突出端部側を夫々、防水層からコンクリート躯体に穿設した一対のアンカー用穴に埋め込んで接着用樹脂により根固めすることによって、手摺支柱をコンクリート躯体に直立状態に取り付け固定するものである。このような取付構造によれば、手摺支柱の取付施工がきわめて簡単且つ容易となって、施工費の低減化を図ることができる。
【特許文献１】特開２００５−２２６３７６号公報
【発明の開示】
【発明が解決しようとする課題】
【０００３】
ところで、建物屋上等のコンクリートスラブのように表面に防水層が設けられたコンクリート躯体に手摺支柱を取り付ける場合に、アンカー用穴は、防水層からコンクリート躯体にわたるように穿設されるため、防水層に設けたアンカー用穴部とアンカー棒との間から雨水等が、アンカー用穴内にさらには防水層とコンクリート層との間に入り込み易くなって、防水層の機能が損なわれることになる。
【０００４】
本発明は、上記の事情に鑑みてなされたもので、表面に防水層が設けられたコンクリート躯体に手摺支柱を取り付けるにあたって、防水層とアンカー棒との間の水密性を高めることができる手摺支柱の取付構造を提供することを目的とする。
【課題を解決するための手段】
【０００５】
上記課題を解決するための手段を、後述する実施形態の参照符号を付して説明すると、請求項１に係る発明は、表面に防水層６が設けられたコンクリート躯体５に手摺支柱１を取り付ける手摺支柱１の取付構造であって、
手摺支柱１内に固定してその下端から突出させた室内側と室外側の一対のアンカー棒８，８を、防水層６からコンクリート躯体５に穿設したアンカー用穴９，９に埋め込んで接着用樹脂１０により根固めすると共に、両アンカー棒８，８にはシールパッキン１１とこのパッキン１１を上から押えるワッシャー１２と締付用のナット１３とを取り付け、ナット１３を締め付けることによりワッシャー１２及びシールパッキン１１を介して防水層６のアンカー用穴９とアンカー棒８との間を水密シールするようにしたことを特徴とする。
【０００６】
請求項２は、請求項１に記載の手摺支柱の取付構造において、一対のアンカー棒８，８は、手摺支柱１内に長さ方向スライド可能に挿入されるアンカー取付部材１６に取り付け固定されて、その下端から突出され、このアンカー取付部材１６は、手摺支柱１の下端部内の所要位置にビス２２，２３により固定されるようになっていることを特徴とする。
【０００７】
請求項３は、請求項１又は２に記載の手摺支柱の取付構造において、各アンカー棒８はネジ棒からなり、アンカー取付部材１６はアルミ押出型材からなるもので、各アンカー棒８はアンカー取付部材１６内に設けられたネジ棒ねじ込み筒１４にねじ込まれるようになっていることを特徴とする。
【０００８】
請求項４は、請求項１〜３の何れかに記載の手摺支柱の取付構造において、シールパッキン１１は一対のアンカー棒挿通孔１９，１９を設けたメガネ形パッキン１１Ｗからなることを特徴とする。
【０００９】
請求項５は、請求項１〜３の何れかに記載の手摺支柱の取付構造において、ワッシャー１２は一対の  アンカー棒挿通孔２０，２０を設けたメガネ形ワッシャー１２Ｗからなることを特徴とす る。
【００１０】
請求項６は、請求項１〜５の何れかに記載の手摺支柱の取付構造において、手摺支柱１の下端部に、この手摺支柱１の下部とコンクリート躯体５表面の防水層６との間を覆う足元カバー２１を設けてなることを特徴とする。
【発明の効果】
【００１１】
上記解決手段による発明の効果を、後述する実施形態の参照符号を付して説明すると、請求項１に係る発明の手摺支柱１の取付構造によれば、ナット１３を締め付けることにより、ワッシャー１２Ｗを介してシールパッキン１１Ｗがコンクリート躯体５表面の防水層６に押し付けられて、防水層６のアンカー用穴部９ａと、アンカー用穴９内に挿入されたアンカー棒８との間が積極的に水密シールされ、それによりアンカー用穴９内への雨水等の浸入が阻止され、躯体内部へ浸水が阻止され、従って建物内部への漏水が防止される。また手摺支柱１の下端からは室内側と室外側とに位置する一対のアンカー棒８，８を突設しているから、手摺りＴの使用時に、手摺りが受ける風圧によって手摺支柱１に対しこれと直交する室内外方向の外力が作用しても、その外力を室内外両側のアンカー棒８，８が有効に支持し、その外力による手摺支柱１の倒れを防止できる。
【００１２】
請求項２に記載のように、一対のアンカー棒８，８は、手摺支柱１に対し直接取り付けるのではなく、手摺支柱１内に長さ方向スライド可能に挿入されるアンカー取付部材１６に取り付けて固定し、その下端から突出させたものであって、このアンカー取付部材１６を手摺支柱１の下端部内の所要位置にビス２２，２３によって固定するようにしたから、アンカー取付部材１６を手摺支柱１に対しスライド調整することにより、手摺支柱１下端からのアンカー棒８の突出長さを変更調整することができるし、手摺支柱１の内周面とこれに対しスライド可能に挿入されるアンカー取付部材１６との間の微小隙間を利用して、手摺支柱１側の適当箇所からビスをねじ込んでアンカー取付部材１６の適当箇所を圧接することにより、手摺支柱１の取付姿勢を正常な鉛直姿勢に修正することができる。
【００１３】
請求項３に記載のように、各アンカー棒８はネジ棒からなるもので、アルミ押出型材からなるアンカー取付部材１６のネジ棒ねじ込み筒１４にねじ込んで取付け固定するようにしたから、アンカー棒８の取付けが簡単容易となる。
【００１４】
請求項４に記載のように、シールパッキン１１として、一対のアンカー棒挿通孔１９，１９を設けたメガネ形パッキン１１Ｗからなるものを使用すれば、パッキンの取付作業が容易となる。
【００１５】
請求項５に記載のように、ワッシャー１２として、一対のアンカー棒挿通孔２０，２０を設けたメガネ形ワッシャー１２Ｗを使用することにより、ワッシャーの取付作業が容易となる。
【００１６】
請求項６に記載のように、手摺支柱１の下端部に、手摺支柱１の下部とコンクリートスラブ５表面の防水層６との間を覆う足元カバー２１を設けたことにより、手摺支柱１の下端から突出して露出するアンカー棒８、シールパッキン１１及びナット１３を足元カバー２１によって隠蔽でき、外観上の体裁を良くすることができる上に、手摺支柱１の下端部への浸水を防ぎ、アンカー棒８及びナット１３の腐食を極力抑えることができる。
【発明を実施するための最良の形態】
【００１７】
以下に本発明の好適な一実施形態を図面に基づいて説明すると、図１は建物屋上のコンクリートスラブ上に設置された本発明に係る手摺りを室内側（屋上の内側）から見た概略正面図、図２は図１のＸ−Ｘ線拡大断面図、図３の(a) は図２のＹ−Ｙ線断面図、(b) は図２のＺ−Ｚ線断面図、(c) はメガネ形ワッシャーを示す平面図、(d) はメガネ形パッキンを示す平面図である。
【００１８】
ここに示す手摺りＴは、建物屋上の外周に設けられたパラペット７の内側に沿って屋上コンクリートスラブ５上に設置されたもので、複数の手摺支柱１と、対向する手摺支柱１，１間に固定され、横方向に延びる上下の横桟２，３と、上下の横桟２，３間に所要間隔おきに配設される多数の手摺り子４とから構成される。コンクリートスラブ５の表面には例えばアスファルトからなる防水層６が設けられている。
【００１９】
本発明に係る手摺支柱１の取付構造は、表面に防水層６が設けられた屋上コンクリートスラブ５に手摺支柱１を取り付ける構造であって、手摺支柱１内にアンカー取付部材１６を介して固定してその下端から突出させた室内側と室外側の一対のアンカー棒８，８を、防水層６からコンクリートスラブ５に穿設したアンカー用穴９に埋め込んで接着用樹脂１０によって根固めすると共に、両アンカー棒８，８には夫々シールパッキン１１とこのパッキン１１を上から押えるワッシャー１２と締付用のナットと１３を取り付け、しかしてナット１３を締め付けることにより、ワッシャー１２及びシールパッキン１１を介して防水層６のアンカー用穴部９ａとアンカー棒８との間を水密シールするようにしたものである。
【００２０】
上記取付構造について更に詳しく説明すれば、先ず、手摺支柱１は、図３の(a) 及び図５に示すような断面長方形の中空角筒状アルミ押出形材からなるもので、長辺側側壁１ａの内側面の両端部にビスポケット１５ａが、その中間部には複数条の小凸条部１５ｂが、また短辺側側壁１ｂに複数条の小凸条部１５ｂが夫々軸方向全長にわたって一体形成されている。
【００２１】
このアルミ押出形材からなる手摺支柱１内には、図６に示すように、室内側及び室外側の一対のアンカー棒８，８を下端から所要長さ突出するように取り付け固定したアンカー取付部材１６が挿入固定されている。このアンカー取付部材１６は、断面が概ね長方形のアルミ押出形材からなるもので、図５から分かるように、その短辺側端面１６ｂが手摺支柱１の短辺側側壁１ｂの内側面の小凸条部１５ｂとの間に僅かに隙間を形成する状態で、手摺支柱１内に長さ方向スライド可能に挿入されていて、図２に示すように、両アンカー棒８，８が手摺支柱１の下端から突出する状態で手摺支柱１の下端部内の所要位置に複数のビス２２，２３によって固定されるようになっている。
【００２２】
各アンカー棒８は、鋼棒の外周面にネジが切られたネジ棒でネジ棒（ボルト）からなるもので、図６に示すように断面が概ね長方形のアルミ押出形材からなるアンカー取付部材１６のネジ棒ねじ込み筒１４にねじ込まれ、このアンカー取付部材１６の下端から所要長さ突出するようになっている。このネジ棒ねじ込み筒１４へのアンカー棒８のねじ込みは、ねじ込み工具を使用して行う。
【００２３】
シールパッキン１１は、ゴム材や軟質合成樹脂材により形成されたもので、図３の(d) に示すように、一対のアンカー棒挿通孔１９，１９を設けたメガネ形パッキン１１Ｗからなり、両アンカー棒挿通孔１９，１９は、手摺支柱１の下端から突出する室内外両アンカー棒８，８の芯間距離と同じ中心間距離をもつように穿設され、そして各アンカー棒挿通孔１９はアンカー棒８の外径と同じか又はそれより僅かに小さい内径に形成される。
【００２４】
ワッシャー１２は、ステンレス等の金属製のもので、図３の(c) に示すように、一対のアンカー棒挿通孔１９，１９を設けたメガネ形ワッシャー１２Ｗからなり、両アンカー棒挿通孔２０，２０は、室内外両アンカー棒８，８の芯間距離と同じ中心間距離をもつように穿設され、そして各アンカー棒挿通孔２０は、アンカー棒８の外径より僅かに大きい内径に形成される。
【００２５】
また図１〜図３に示すように、手摺支柱１の下端部には、この手摺支柱１の下部とコンクリートスラブ５の表面の防水層６との間を覆う足元カバー２１が設けられている。この足元カバー２１は、塩化ビニル等の合成樹脂により角錐台形状に一体形成されたもので、上面側には手摺支柱１の横断面形状より僅かに大きい方形状の開口部２１ａが形成され、下端面は開放状態となっている。また、上面側開口部２１ａには、その周辺に沿ってシール用コーキング材１７を装填する凹段部２１ｂが周設され、また下端面外周部にもシール用コーキング材１７を装填する凹段部２１ｃが周設されている。
【００２６】
次に、上記のように表面に防水層６が設けられた屋上コンクリートスラブ５上に手摺りＴを立設するにあたっての手摺支柱１の取付手順について説明する。
【００２７】
先ず、アルミ押出形材からなるアンカー取付部材１６のネジ棒ねじ込み筒１４，１４に一対のアンカー棒８，８の夫々の一端部側を所要長さだけねじ込んで、その他端部側を、アンカー取付部材１６の下端から突出させて、図６に示すような状態のアンカー取付部材１６を手摺支柱１内にその下端部から挿入し、アンカー取付部材１６の下端が手摺支柱１の下端にほぼ位置した状態で、図２に示すように、手摺支柱１の短辺側側壁１ｂの所要箇所からビス２２，２３をアンカー取付部材１６の短辺側側壁部にねじ込むことによって、アンカー取付部材１６を手摺支柱１に対し固定する。
【００２８】
一方、コンクリートスラブ５上の支柱取付位置には、その表面の防水層６から、室内側及び室外側の一対のアンカー用穴９，９を穿設し、そして各アンカー用穴９に、エポキシ樹脂のような熱可塑性樹脂からなる好ましくは速乾性の接着用樹脂１０を充填する。
【００２９】
また、手摺支柱１から突出した室内外両アンカー棒８，８をアンカー用穴９，９に挿入するのに先立って、手摺支柱１の下端部には足元カバー２１を嵌め込んで取り付け、両アンカー棒８，８には夫々ナット１３を螺合し、このナット１３の下側にメガネ形のワッシャー１２Ｗ及びシールパッキン１１Ｗを挿通させておく。
【００３０】
しかして、接着用樹脂１０を充填した支柱取付位置の室内外両アンカー用穴９，９に、手摺支柱１の下端から突出した室内側及び室外側両アンカー棒８，８を所要深さまで挿入して埋め込み、接着用樹脂１０が固化してアンカー用穴９，９内に根固めした後、ナット１３を締め付けることによりワッシャー１２Ｗを介しシールパッキン１１Ｗを防水層６に押し付け、それによって防水層６のアンカー用穴部９ａと、アンカー用穴９内に挿入されたアンカー棒８との間を水密シールする。
【００３１】
この時、即ち接着用樹脂１０が固化してアンカー棒８がアンカー用穴９，９内に根固めされた状態にある時、手摺支柱１が正常な鉛直姿勢に対し傾いているような場合は、前記ビス２２，２３を一旦取り外して、手摺支柱１を鉛直姿勢に修正しながら再びビス２２，２３をアンカー取付部材１６の所要箇所に対してねじ込むか、あるいは当初のビスねじ込み箇所とは別の箇所から適当な長さのビスをねじ込んで、手摺支柱１に対するアンカー取付部材１６の挿入角度を微妙に調整することにより、手摺支柱１を正常な鉛直姿勢に修正することができる。いずれにしても、手摺支柱１の内周面とこれに対しスライド可能に挿入されるアンカー取付部材１６との間の微小隙間を利用して、手摺支柱１側の適当箇所からビスをねじ込んでアンカー取付部材１６の適当箇所を圧接固定することによって、手摺支柱１の取付姿勢を修正することができる。
【００３２】
その後、足元カバー２１を防水層６に接地するように引き下ろして、図２に示すように上面側開口部１６ａ側の凹段部１６ｂ及び下端面外周部の凹段部１６ｃに夫々コーキング材１７を装填し、手摺支柱１の下端部と防水層６との間をシールする。
【００３３】
上記のような取付装置によれば、ナット１３を締め付けることによりワッシャー１２Ｗを介してシールパッキン１１Ｗが防水層６に押し付けられ、それによって防水層６のアンカー用穴部９ａと、アンカー用穴９内に挿入されたアンカー棒８との間が積極的に水密シールされ、それによってまたアンカー用穴９内への雨水等の浸入が阻止され、コンクリートスラブ５内部への浸水が阻止され、従って建物内部への漏水が防止される。
【００３４】
また、手摺支柱１の下端から室内側と室外側とに位置する一対のアンカー棒８，８を突設しているから、手摺りＴの使用時に、手摺りＴが受ける風圧によって手摺支柱１に対しこれと直交する室内外方向の外力が作用しても、その外力を室内外両側のアンカー棒８，８が有効に支持し、その外力による手摺支柱１の倒れを防止することができる。
【００３５】
さらに、手摺支柱１の下端部に、手摺支柱１の下部とコンクリートスラブ５表面の防水層６との間を覆う足元カバー２１を設けたことにより、手摺支柱１の下端から突出して露出するアンカー棒８、シールパッキン１１及びナット１３を足元カバー２１によって隠蔽でき、外観上の体裁を良くすることができる上に、手摺支柱１の下端部への浸水を防止でき、アンカー棒８及びナット１３の腐食を極力抑えることができる。
【００３６】
図２、図３に示す実施形態では、シールパッキン１１は一対のアンカー棒挿通孔１９，１９を設けたメガネ形パッキン１１Ｗからなるものであり、またワッシャー１２は一対のアンカー棒挿通孔２０，２０を設けたメガネ形ワッシャー１２Ｗからなるものであるが、シールパッキン１１は、図４の(c) に示すように各アンカー棒８に夫々１つずつ取り付ける普通のシングルパッキン１１Ｓを使用してもよく、またワッシャー１２も、図４の(a) 及び(b) に示すように各アンカー棒８に夫々１つずつ取り付ける普通のシングルワッシャー１２Ｓを使用してもよい。
【００３７】
但し、図２、図３に示す実施形態のように、シールパッキン１１として、一対のアンカー棒挿通孔１９，１９を設けたメガネ形パッキン１１Ｗからなるものを使用すれば、パッキンの取付作業が容易となり、またワッシャー１２としても、一対のアンカー棒挿通孔２０，２０を設けたメガネ形ワッシャー１２Ｗを使用することにより、ワッシャーの取付作業が容易となる。
【図面の簡単な説明】
【００３８】
【図１】建物屋上のコンクリートスラブ上に設置された本発明に係る手摺りを室内側（屋上の内側）から見た概略正面図である。
【図２】図１のＸ−Ｘ線拡大断面図である。
【図３】(a) は図２のＹ−Ｙ線断面図、(b) は図２のＺ−Ｚ線断面図、(c) はメガネ形ワッシャーを示す平面図、(d) はメガネ形パッキンを示す平面図である。
【図４】シールパッキン及びワッシャーとして、シングルパッキン及びシングルワッシャーを使用した場合の図３の(b) と同様な断面図、(b) はシングルワッシャーを示す平面図、(c) はシングルパッキンを示す平面図である。
【図５】図２のＶ−Ｖ線断面図である。
【図６】一対のアンカー棒を取り付けたアンカー取付部材を示す斜視図である。
【符号の説明】
【００３９】
１            手摺支柱
５            コンクリートスラブ（コンクリート躯体）
６            防水層
８            アンカー棒
９            アンカー用穴
１０          接着用樹脂
１１          シールパッキン
１１Ｗ        メガネ形シールパッキン
１２          ワッシャー
１２Ｗ        メガネ形ワッシャー
１３          ナット
１４          ネジ棒ねじ込み筒
１６          アンカー取付部材
２１          足元カバー
【図１】
2010048040.tif 000003
【図２】
2010048040.tif 000004
【図３】
2010048040.tif 000005
【図４】
2010048040.tif 000006
【図５】
2010048040.tif 000007
【図６】
2010048040.tif 000008